(57)【要約】【課題】初回だけでなくその後の再生操作も反映し、通常再生箇所情報に基づいて簡単に再生することができる再生装置を提供する。【解決手段】マイコン１３は、ＨＤＤ１７のハードディスクに録画されている映像ファイルを再生制御ファイル及びユーザ操作に従って再生する。また、マイコン１３は、前記映像ファイルの初回再生時にユーザによる再生操作に基づいて通常再生区間を判定して前記再生制御ファイルを作成する。更に、マイコン１３は、前記再生制御ファイルに基づく前記映像ファイルの再生中にユーザによる再生操作によって通常再生区間の変更が検出されたときには、前記再生制御ファイルを更新する。【選択図】図１
2008065865.tif 000002
【特許請求の範囲】
【請求項１】
記録媒体に録画されている映像ファイルを再生制御情報及びユーザ操作に従って再生する手段と、前記映像ファイルの初回再生時にユーザによる再生操作に基づいて通常再生区間を判定して前記再生制御情報を作成する作成手段と、前記再生制御情報に基づく前記映像ファイルの再生中にユーザによる再生操作によって通常再生区間の変更が検出されたときには、前記再生制御情報を更新する更新手段と、を備えたことを特徴とする再生装置。
【請求項２】
請求項１に記載の再生装置において、非通常再生区間が所定時間未満である場合には通常再生区間であるとして前記再生制御情報を作成するか又は、前記再生制御情報に、所定時間未満の非通常再生区間が記述されている場合は、通常再生区間であるとして再生を実行することを特徴とする再生装置。
【請求項３】
請求項１又は請求項２に記載の再生装置において、通常再生区間が所定時間未満である場合には非通常再生区間であるとして前記再生制御情報を作成するか又は、前記再生制御情報に、所定時間未満の通常再生区間が記述されている場合は、非通常再生区間であるとして処理を実行することを特徴とする再生装置。
【発明の詳細な説明】
【技術分野】
【０００１】
この発明は、映像ファイルを再生する再生装置に関する。
【背景技術】
【０００２】
録画映像を再生するときに、初回再生時に早送りした部分（或いは早戻しした部分）についてはこれを次回の再生においてスキップさせ、早送り先（或いは早戻し先）から再生する技術が提案されている（特許文献１参照）。かかる技術により、ユーザが、初回再生において、早送り又はスキップした区間は、以後の再生においても不要な区間であると装置が自動的に見做してくれることになり、効率的な再生視聴が行えることになる。
【特許文献１】特開２００５−０８０１４９号公報
【発明の開示】
【発明が解決しようとする課題】
【０００３】
しかしながら、上記従来技術の基本は、ユーザによる初回再生操作の再現であり、例えば、早送り箇所は早送りされるだけであって、目的シーンにたどり着くまでの操作が単に再現されることになるから、必ずしもユーザが望む再生がなされるわけではない。また、早送り箇所をスキップし、早送り先から再生すること等も提案されているが、早送りデータや早戻しデータの履歴情報を必要としており、再生を前記履歴情報に基づいて行うために処理が複雑になる。更に、初回再生の再現にとどまるため、その後のユーザの操作は何ら反映されない。
【０００４】
この発明は、上記の事情に鑑み、初回だけでなくその後の再生操作も反映し、早送りデータや早戻しデータの履歴情報を必要とせずに通常再生すべき箇所を通常再生することができる再生装置を提供することを目的とする。
【課題を解決するための手段】
【０００５】
この発明の再生装置は、上記の課題を解決するために、記録媒体に録画されている映像ファイルを再生制御情報及びユーザ操作に従って再生する手段と、前記映像ファイルの初回再生時にユーザによる再生操作に基づいて通常再生区間を判定して前記再生制御情報を作成する作成手段と、前記再生制御情報に基づく前記映像ファイルの再生中にユーザによる再生操作によって通常再生区間の変更が検出されたときには、前記再生制御情報を更新する更新手段と、を備えたことを特徴とする。
【０００６】
上記の構成であれば、前記再生制御情報に基づく前記映像ファイルの再生中にユーザによる再生操作によって通常再生区間の変更が検出されたときには、前記再生制御情報は更新されるので、初回だけでなくその後の再生操作も反映されることになる。また、前記再生制御情報により通常再生区間を把握して映像ファイルの再生を行うので、早送りデータや早戻しデータの履歴情報を必要とせずに通常再生すべき箇所を通常再生することができる。
【０００７】
上記構成の再生装置において、非通常再生区間が所定時間未満である場合には通常再生区間であるとして前記再生制御情報を作成するか又は、前記再生制御情報に、所定時間未満の非通常再生区間が記述されている場合は、通常再生区間であるとして再生を実行することとしてもよい。
【０００８】
また、これら構成の再生装置において、通常再生区間が所定時間未満である場合には非通常再生区間であるとして前記再生制御情報を作成するか又は、前記再生制御情報に、所定時間未満の通常再生区間が記述されている場合は、非通常再生区間であるとして処理を実行することとしてもよい。
【発明の効果】
【０００９】
この発明によれば、初回だけでなくその後の再生操作も反映し、通常再生箇所情報に基づいて簡単に再生することができるという効果を奏する。
【発明を実施するための最良の形態】
【００１０】
以下、この発明の実施形態を図１乃至図４に基づいて説明する。図１には、録画再生装置として、地上ディジタル放送を受信するハードディスク付きのテレビジョンセット３０を示している。
【００１１】
アンテナ１は地上放送局から送られてくるディジタル放送信号を受信する。地上ディジタルチューナ２は、映像音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポートストリームを出力する。
【００１２】
ＭＰＥＧ−ＴＳデコーダ分離回路（以下、単にデコーダという）３は、前記トランスポートストリームを、ＭＰＥＧ２（Ｍｏｖｉｎｇ  Ｐｉｃｔｕｒｅ  Ｅｘｐｅｒｔｓ  Ｇｒｏｕｐ２）或いはＨ．２６４のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。ＡＶデコーダ部はビデオストリームに対してデコードを行うビデオデコーダ、オーディオストリームに対してデコードを行うオーディオデコーダから成る。ビデオデコーダから出力される映像データは映像処理部４に出力され、オーディオデコーダから出力される音声データは音声処理部５に出力される。
【００１３】
映像処理部４は、受信映像の映像データを受け取ってＤ／Ａ変換等を行い、映像信号を生成する。また、映像処理部４はＯＳＤ（オンスクリーンディスプレイ機能）を有し、マイコン１３から出力指示された文字情報や色情報に基づく映像を前記映像データに合成する。音声処理部５は、デコーダ３から出力された音声データを受け取って右（Ｒ）音データ及び左（Ｌ）音データを生成する。
【００１４】
映像信号はドライバ７を経てディスプレイ（例えば、液晶表示パネル等）１１に供給される。音声データはＤ／Ａ変換アンプ８を経てアナログ信号に変換されてスピーカ１２に入力される。
【００１５】
メモリ（ＲＡＭ、ＥＥＰＲＯＭ、フラッシュメモリ、ＲＯＭ等）１４には、各種プログラムやデータなどが格納される。テレビジョンセット３０の電源ＯＮ時に、マイコン（マイクロコンピュータ）１３は、ＲＯＭに格納されているプログラムやデータをＲＡＭに展開し、ＲＡＭ上のプログラムを実行する。このプログラムには、ＨＤＤ（ハードディスクドライブ）１７、ＵＳＢインターフェイス２０、ＬＡＮインターフェイス１８を制御するドライバやプロトコルスタックが含まれる。
【００１６】
リモコン送信機（リモートコントローラ）１５は、当該テレビジョンセット３０に指令を送出するための送信機である。このリモコン送信機１５に設けられたキーを操作すると、そのキーに対応した指令を意味する信号光（リモコン信号）が発光部から送出される。受光部１６は、前記リモコン送信機１５のキーが操作されたときに出力される信号光を受光し、これを電気信号に変換してコード解析を行い、チャンネル番号情報や録画再生指令等をマイコン１３に与える。なお、図示はしていないが、ディスプレイ１１にタッチパネルを設け、このタッチパネル上で録画再生指令等を行うこと（タッチパネルとなる箇所に再生キー等を表示すること）も可能である。
【００１７】
ＨＤＤ１７は、マイコン１３の制御の下で、受信した番組をハードディスクに録画する。すなわち、ＨＤＤ１７は、受信放送の録画を行うときに録画ファイルを作成し、マイコン１３は当該録画ファイルのコンテンツＩＤでファイル管理を行う。また、マイコン１３は、再生制御ファイルを前記コンテンツＩＤに対応付けて作成し、ＨＤＤ１７に記録する。この再生制御ファイルは、録画ファイル再生時の通常再生箇所を規定する指令群（時間指定群）となる。例えば、図４（ａ）に示すように、前記再生制御ファイルの内容については、通常再生箇所（通常再生時間帯）をＯＫ、非通常再生箇所（非通常再生時間帯）をＮＧのごとく表すことができる。非通常再生箇所（非通常再生時間帯）については、スキップ又は早送りが行われることになる。
【００１８】
記録された録画ファイルが初めて再生されるときには、前記再生制御ファイルは存在していないか、或いは、存在していても中身はない。前記再生制御ファイルは、ユーザが録画ファイルの最初の再生に際してどのような再生処理を行ったか、すなわち、再生、早送り、早戻し、停止の操作をどのように行ったかによって作成され、更に、その後の再生、早送り、早戻し、停止の操作をどのように行ったかによって更新されるものである。
【００１９】
図２は再生処理及び前記再生制御ファイルを作成するときの処理内容を示したフローチャートである。再生キーが操作されると（ステップＳ１）、マイコン１３の処理によってＨＤＤ１７に記録されている録画ファイルの再生が実行され（ステップＳ２）、通常再生開始ポイントが記録される（ステップＳ３）。録画ファイルの最初から通常再生を行うのであれば、通常再生開始ポイントは、００時間００分００秒となる。次に、マイコン１３は、停止キー又は早戻しキーが操作されたかどうかを判断する（ステップＳ４）。これら停止キー等が操作されたときには、通常再生終了ポイントを記録し、再生制御ファイルの通常再生区間を更新する（ステップＳ７）。録画ファイルの先頭から例えば５０秒後の箇所で停止キーが操作されたのであれば、「［００時間００分００秒］〜［００時間００分５０秒］ＯＫ」といった内容が再生制御ファイルにおいて作成される。
【００２０】
なお、ステップＳ４において、早戻しキーが操作されたのであれば、その後に停止キー、再生キー、又は早送りキーが操作されことになる。その後に停止キーが操作された場合には特に処理は必要ない。再生キーが操作され場合には、ステップＳ１からの処理を行えばよい。早送りキーが操作されたときには、後述する図３のステップＳ１１からの処理となる。
【００２１】
上記経過時間はマイコン１３側で生成しているタイマーカウントによる値とは限らない。例えば、ＭＰＥＧデータであれば、Ｉピクチャは約０．５秒に１回の割合で再生されるので、再生されたＩピクチャの個数を管理することでも経過時間を判断することができる。例えば、上記の例（［００時間００分００秒］〜［００時間００分５０秒］ＯＫ）であれば、１００個目のＩピクチャが再生されるまでが通常再生区間であるというように管理できる。
【００２２】
前記ステップＳ４でＮＯとされたときには、早送りキーが操作されたかどうかを判断する（ステップＳ５）。どのキーも操作されないのであれば、ステップＳ４に戻る。前記早送りキーが操作されたのであれば、通常再生終了ポイントを記録し、再生制御ファイルの通常再生区間を更新する。更に、上記通常再生終了ポイントを非通常再生開始ポイントとして記録する（ステップＳ６）。なお、早送りキーが操作された場合の更なる処理内容は図３により説明される。
【００２３】
上記図２のフローチャートに基づく処理内容は、再生キーが操作された場合の説明であるが、次に、早送りキーが操作された場合について、図３のフローチャートに基づいて説明していく。早送りキーが操作されると（ステップＳ１１）、マイコン１３の処理によってＨＤＤ１７において録画ファイルの早送り再生が実行され（ステップＳ１２）、非通常再生開始ポイントが記録される（ステップＳ１３）。
【００２４】
次に、マイコン１３は、停止キー又は早戻しキーが操作されたかどうかを判断する（ステップＳ１４）。これら停止キー等が操作されたときには、非通常再生終了ポイントを記録し、再生制御ファイルの通常再生区間を更新する（ステップＳ１７）。なお、ステップＳ１４で早戻しキーが操作されたのであれば、その後に停止キー、再生キー、又は早送りキーが操作されことになる。その後に停止キーが操作された場合には特に処理は必要ない。再生キーが操作され場合には、図２のステップＳ１からの処理を行えばよい。早送りキーが操作されたときには、ステップＳ１１からの処理となる。
【００２５】
前記ステップＳ１４でＮＯとされたときには、再生キーが操作されたかどうかを判断する（ステップＳ１５）。どのキーも操作されないのであれば、ステップＳ１４に戻る。前記再生キーが操作されたのであれば、非通常再生終了ポイントを記録し、再生制御ファイルの通常再生区間を更新する。更に、上記非通常再生終了ポイントを通常再生終了ポイントとして記録する（ステップＳ１６）。
【００２６】
次に、５分間分の録画ファイルを例にして更に説明していく。この録画ファイルがその先頭から通常再生されたなら、通常再生開始ポイントとして、［００時間００分００秒］が記録される。この記録は、一旦メモリ１４に記録してから最終的に再生制御ファイルとしてハードディスクに記録されることとしてもよいし、直接にハードディスクに記録してもよい。次に、ユーザが、０１分５０秒後の時点で再生を停止したとすると、通常再生終了ポイントとして、［００時間０１分４０秒］が記録される。このとき、再生制御ファイには、「［００時間００分００秒］〜［００時間０１分４０秒］ＯＫ」といった内容が記述される。仮に、この状態で当該録画ファイルに対する再生操作が終わってしまったとする。このときにの再生制御ファイルを、（１）「［００時間００分００秒］〜［００時間０１分４０秒］ＯＫ」のままとする（先頭から１分４０秒まで通常再生を行ってそのまま再生を終了する制御）形態と、（２）「［００時間００分００秒］〜［００時間０５分００秒］ＯＫ」とする（終了ポイントからファイル最後までの間の再生制御を示す情報がないので、ファイル最後までを通常再生とする制御）形態と、の二つが考えられる。どちらを採用してもよいものとするが、この実施形態では、後者である（２）の形態を採用している。
【００２７】
次に、上記録画ファイルについて２回目の再生を行ったとする。マイコン１３は上記再生制御ファイルに基づいて、００時間００分００秒から通常再生を実行することになる。ここで、先頭から１分４０秒まで通常再生を行ったときに、ユーザが早送りキーを操作したとする。更に、早送り中にユーザが再生キーを押下して通常再生に戻したとする。この通常再生に戻した位置を２分５０秒の位置とする。このような再生によって再生制御ファイルの内容は、図４（ａ）に示すごとく更新される。この状態の録画制御ファイルを状態Ａファイルということとする。
【００２８】
前記状態Ａファイルに基づいて再生制御が行われるならば、００時間００分００秒〜００時間０１分４０秒までと、００時間０２分５０秒〜００時間０５分００秒までと、が通常再生されることになる。
【００２９】
更に、上記状態Ａファイルに基づく再生において、２分５０秒の時点から行われる通常再生でユーザが３分３０秒の時点で早戻しキーを操作し、２分１０秒の時点まで戻った後に再び再生キーを操作し、最後まで通常再生したとする。すると、このような再生により、図４（ｂ）に示すごとく、再生制御ファイルの更新が行われることになる。
【００３０】
なお、上記状態Ａファイルに基づく再生において、２分５０秒の時点から行われる通常再生でユーザが２分５２秒の時点で早送りキーを押下し、３分４０秒の時点まで進んだ後に再び再生キーを押下し、最後まで通常再生したとする。このような再生によって、再生制御ファイルにおける通常再生区間は、［００時間００分００秒］〜［００時間０１分４０秒］の区間と、［００時間０２分５０秒］〜［００時間０２分５２秒］の区間と、［００時間０３分４０秒］〜［００時間０５分００秒］の区間と、になる。しかしながら、［００時間０２分５０秒］〜［００時間０２分５２秒］の区間、すなわち、２秒間の再生は意味がないと考えることもできる。従って、通常再生区間の最小値（閾値）を規定しておく。マイコン１３は、再生制御ファイル内に、最小値未満の再生区間が規定されている場合には、これを無視する処理を実行してもよい。或いは、マイコン１３は、再生制御ファイルの作成において、最小値未満の再生区間となる箇所については、通常再生区間情報は作成しないこととしてもよい。通常再生区間に限らず、非通常再生区間についても、最小値（閾値）を規定し、同様の処理を行うこととしてもよい。
【００３１】
また、上記実施形態では、再生装置としてハードディスク付きのテレビジョンセット３０を示したが、これに限るものではなく、例えば、インターネット上から取得した映像ファイルを再生する再生装置とすることもできる。
【図面の簡単な説明】
【００３２】
【図１】この発明の実施形態のテレビジョンセットを示したブロック図である。
【図２】この発明の実施形態の処理内容を示したフローチャートである。
【図３】この発明の実施形態の処理内容を示したフローチャートである。
【図４】この発明の実施形態の再生ファイルの内容を示した説明図である。
【符号の説明】
【００３３】
１３    マイコン（マイクロコンピュータ）
１４    メモリ
１５    リモコン送信機
１７    ＨＤＤ
３０    テレビジョンセット
【図１】
2008065865.tif 000003
【図２】
2008065865.tif 000004
【図３】
2008065865.tif 000005
【図４】
2008065865.tif 000006